(57)【要約】【課題】  簡素な構造であって、プラグの電極端子の通電部分を巧みに隠蔽することができ、感電事故やトラッキング現象を確実に防止することができる、非常に安全性の高い電源コンセントの感電防止構造を提供すること。【解決手段】  所定厚みの絶縁物質から成るボックス体２には、プラグ１の本体部11の断面外縁形状と略同形状の断面を有し、かつ、同プラグ１の電極端子12のサイズ以上の深さの沈み開口部21を形成する一方、差込みソケット部Ｓとボックス体２との間には、前記プラグ１の電極端子12・12の対応位置に縦長スリット31・31が形成された絶縁板体３を介装し、前記プラグ１の本体部11を前記ボックス体２の沈み開口部21に差し入れるとともに、同プラグ１の電極端子12・12を前記絶縁板体３の縦長スリット31・31に挿通して、かつ、差込みソケット部Ｓに差し込むことによって、通電部分を前記ボックス体２の沈み開口部21内に没入して表面から完全に隠蔽する。【選択図】  図１
2006066166.tif 000002
【特許請求の範囲】
【請求項１】
電気器具などの電源供給用のプラグ１が挿入されるべき電源コンセントの差込みソケット部Ｓにおいて、
所定厚みの絶縁物質から成るボックス体２には、前記プラグ１の本体部11の断面外縁形状と略同形状の断面を有し、かつ、同プラグ１の電極端子12のサイズ以上の深さの沈み開口部21が形成されている一方、
前記差込みソケット部Ｓとボックス体２との間には、前記プラグ１の電極端子12・12の対応位置に縦長スリット31・31が形成された絶縁板体３が介装されており、
前記プラグ１の本体部11を前記ボックス体２の沈み開口部21に差し入れるとともに、同プラグ１の電極端子12・12を前記絶縁板体３の縦長スリット31・31に挿通して、かつ、差込みソケット部Ｓに差し込むことによって、通電部分が前記ボックス体２の沈み開口部21内に没入して表面から完全に隠蔽されて、感電を防止できるようにしたことを特徴とする電源コンセントの感電防止構造。
【請求項２】
不使用時にボックス体２の沈み開口部21をカバーするスライドカバー22を配設したことを特徴とする請求項１記載の電源コンセントの感電防止構造。
【請求項３】
ボックス体２と絶縁板体３とが一体に成形されていることを特徴とする請求項１または２記載の電源コンセントの感電防止構造。
【請求項４】
差込みソケット部Ｓが壁面に設置されていることを特徴とする請求項１〜３の何れか一つに記載の電源コンセントの感電防止構造。
【請求項５】
差込みソケット部Ｓが延長コード付きタップ型ソケットに設置されていることを特徴とする請求項１〜３の何れか一つに記載の電源コンセントの感電防止構造。
【発明の詳細な説明】
【技術分野】
【０００１】
本発明は、電源コンセントの改良、更に詳しくは、簡素な構造であって、プラグの電極端子の通電部分を巧みに隠蔽することができ、感電事故やトラッキング現象を確実に防止することができる、非常に安全性の高い電源コンセントの感電防止構造に関するものである。
【背景技術】
【０００２】
周知のとおり、電化製品に電力を供給する際には、プラグを電源コンセントに差し込む必要があるけれども、かかる電源コンセントにおいては、小さい子供がプラグ端子を触ったまま差し込んで、感電するおそれがあるし、また、特に、幼児はヨダレなどが付いた手で触ったり、口にくわえたりすることもあり、非常に危険である。
【０００３】
また、電源コンセントに関しては、通電部分にホコリが付着してショートする、所謂、トラッキング現象による火災事故が発生することもあるため、従来、前記の感電事故防止およびホコリ除けのために当該電源コンセントの通電部分をカバーするものが開示されている（例えば、特許文献１参照）。
【０００４】
しかしながら、かかるコンセントカバーでは、確かにホコリなどは遮断できるかも知れないけれども、プラグを差し込むために煩わしい扉の開閉操作を毎回行わねばならず、使い勝手が悪いという不満がある。
【特許文献１】実用新案登録第３０３６１２４号公報  （第６−８頁、図１−３）
【発明の開示】
【発明が解決しようとする課題】
【０００５】
本発明は、従来の電源コンセントに、上記のような問題があったことに鑑みて為されたものであり、その目的とするところは、簡素な構造であって、プラグの電極端子の通電部分を巧みに隠蔽することができ、感電事故やトラッキング現象を確実に防止することができる、非常に安全性の高い電源コンセントの感電防止構造を提供することにある。
【課題を解決するための手段】
【０００６】
本発明者が上記課題を解決するために採用した手段を添付図面を参照して説明すれば次のとおりである。
【０００７】
即ち、本発明は、電気器具などの電源供給用のプラグ１が挿入されるべき電源コンセントの差込みソケット部Ｓにおいて、
所定厚みの絶縁物質から成るボックス体２には、前記プラグ１の本体部11の断面外縁形状と略同形状の断面を有し、かつ、同プラグ１の電極端子12のサイズ以上の深さの沈み開口部21を形成する一方、
前記差込みソケット部Ｓとボックス体２との間には、前記プラグ１の電極端子12・12の対応位置に縦長スリット31・31が形成された絶縁板体３を介装し、
前記プラグ１の本体部11を前記ボックス体２の沈み開口部21に差し入れるとともに、同プラグ１の電極端子12・12を前記絶縁板体３の縦長スリット31・31に挿通して、かつ、差込みソケット部Ｓに差し込むことによって、通電部分を前記ボックス体２の沈み開口部21内に没入して表面から完全に隠蔽して、感電を防止できるようにするという技術的手段を採用した。
【０００８】
また、本発明は、上記課題を解決するために、必要に応じて上記手段に加え、不使用時にボックス体２の沈み開口部21をカバーするスライドカバー22を配設するという技術的手段を採用した。
【０００９】
更にまた、本発明は、上記課題を解決するために、必要に応じて上記手段に加え、ボックス体２と絶縁板体３とを一体に成形するという技術的手段を採用した。
【００１０】
更にまた、本発明は、上記課題を解決するために、必要に応じて上記手段に加え、差込みソケット部Ｓを壁面に設置するという技術的手段を採用した。
【００１１】
更にまた、本発明は、上記課題を解決するために、必要に応じて上記手段に加え、差込みソケット部Ｓを延長コード付きタップ型ソケットに設置するという技術的手段を採用した。
【発明の効果】
【００１２】
本発明の感電防止構造にあっては、ブロック体に電極端子のサイズ以上の深さの沈み開口部を形成したことにより、通電部分を外部から接触できないので、誤って通電部分に接触したり、また、幼児のヨダレなどの水分も確実に遮断して感電を防止することができ、更に、絶縁板体を介装することにより、絶縁性を高めることができる。
【００１３】
しかも、通電部分にホコリが侵入するのを防止することができるので、トラッキング現象をも効果的に防止することができ、非常に安全性に優れていることから、産業上における利用価値は頗る高いと云える。
【発明を実施するための最良の形態】
【００１４】
本発明の実施形態を具体的に図示した図面に基いて更に詳細に説明すると次のとおりである。
【００１５】
本発明の実施形態における感電防止構造を図１から図８に基いて説明する。図中、符号１で指示するものは電気器具などの電源供給用のプラグであり、このプラグ１は本体部11から一対の電極端子12・12が突設されている。
【００１６】
また、符号２で指示するものはボックス体であり、このボックス体２は所定厚みの絶縁物質（例えば、ポリプロピレンやポリエチレンなどのプラスチック材料）から成り、前記プラグ１の本体部11の断面外縁形状と略同形状の断面を有し、かつ、同プラグ１の電極端子12のサイズ以上の深さの沈み開口部21が形成されている。
【００１７】
更にまた、符号３で指示するものは絶縁板体であり、この絶縁板体３も前記ボックス体２と同様に絶縁物質から成り、前記プラグ１の電極端子12・12の対応位置に縦長スリット31・31が形成されている。
【００１８】
しかして、本実施形態は、前記プラグ１が挿入されるべき電源コンセントの差込みソケット部Ｓにおける感電防止構造であって、具体的には、まず、プラグ１を、壁面Ｗに設置された差込みソケット部Ｓに差し込む。
【００１９】
この際、前記差込みソケット部Ｓとボックス体２との間には、前記プラグ１の電極端子12・12の対応位置に縦長スリット31・31が形成された絶縁板体３を介装する。
【００２０】
そして、前記プラグ１の本体部11を前記ボックス体２の沈み開口部21に差し入れるときは、プラグ１の本体部11の断面外縁形状と同形状の断面であるので、プラグ１の本体部11が完全に沈み開口部21内に入り込み、隙間が無く指などが入り込む余地が無い。
【００２１】
更に、前記プラグ１の電極端子12・12を前記絶縁板体３の縦長スリット31・31に挿通して差込みソケット部Ｓに差し込む。
【００２２】
この際、プラグ１の電極端子12の長さよりも沈み開口部21の方が深いために、通電部分が前記ボックス体２の沈み開口部21内に没入して表面から完全に隠蔽されるので、感電を防止できる（図４参照）。
【００２３】
しかも、本実施形態によれば、絶縁板体３を介装したことによっても、確実に漏電やホコリの侵入などを防止することができる。
【００２４】
〔実施変形例〕
なお、本実施形態の感電防止構造は、図５に示すように、差込みソケット部Ｓを延長コード付きタップ型ソケットに設置されているものに採用しても良く、同様の感電防止効果が得られる。
【００２５】
また、図６および７に示すように、不使用時にボックス体２の沈み開口部21をカバーするスライドカバー22を配設することもでき、ホコリが入るのを防止することができる。このスライドカバー22には、図６のような昇降式のものや、図７のような撥ね上げ式のものを採用することができる。
【００２６】
更にまた、図８に示すように、ボックス体２と絶縁板体３とを一体に成形することも可能であり、製造コストを削減することができる。
【００２７】
また、図９に示すように、プラグ１の本体部11の形状に合わせて、ブロック体２の開口部21の形状を設計変更することもでき、様々な形状に対応することができる。
【００２８】
本発明は、概ね上記のように構成されるが、本発明は図示の実施形態に限定されるものでは決してなく、「特許請求の範囲」の記載内において種々の変更が可能であって、例えば、ブロック体２および／または絶縁板体３に使用する絶縁体は、プラスチック材料に限らず、木材やゴム、またはこれらの複合材料であっても良き、本発明の技術的範囲に属する。
【図面の簡単な説明】
【００２９】
【図１】本発明の実施形態の構造を表わす分解斜視図である。
【図２】本発明の実施形態の構造を表わす上面図である。
【図３】本発明の実施形態の構造を表わす上面図である。
【図４】本発明の実施形態の構造を表わす斜視図である。
【図５】本発明の実施形態の構造の変形例を表わす斜視図である。
【図６】本発明の実施形態の構造の変形例を表わす斜視図である。
【図７】本発明の実施形態の構造の変形例を表わす斜視図である。
【図８】本発明の実施形態の構造の変形例を表わす斜視図である。
【図９】本発明の実施形態の構造の変形例を表わす斜視図である。
【符号の説明】
【００３０】
１    プラグ
11    本体部
12    電極端子
２    ボックス体
21    沈み開口部
22    スライドカバー
３    絶縁板体
31    縦長スリット
Ｓ    差込みソケット部
Ｗ    壁面
【図１】
2006066166.tif 000003
【図２】
2006066166.tif 000004
【図３】
2006066166.tif 000005
【図４】
2006066166.tif 000006
【図５】
2006066166.tif 000007
【図６】
2006066166.tif 000008
【図７】
2006066166.tif 000009
【図８】
2006066166.tif 000010
【図９】
2006066166.tif 000011